(57)【要約】【課題】  ランドセルの主収納部内の大きさの調節が、小学生等の使用者にとっても非常に簡単で素早く行うことができ、しかもランドセルの使用中にその主収納部内の大きさが収納物の量と合致しなくなることもなく、ランドセルが揺れてもその収納物ががたついたり、傷んだりすることのないランドセル用仕切り具を提供する。【解決手段】  ランドセルＲの主収納部Ｓ0 に収納され、第一押さえ板１と第二押さえ板２の対向面の間に、仕切り具の厚さを調節可能とした伸縮部材３を保持したものとしている。【選択図】    図７
2006280419.tif 000002
【特許請求の範囲】
【請求項１】
ランドセル（Ｒ）の主収納部（Ｓ0 ）に収納され、第一押さえ板（１）と第二押さえ板（２）の対向面の間に、仕切り具の厚さを調節可能とした伸縮部材（３）を保持したことを特徴とするランドセル用仕切り具。
【請求項２】
前記第一押さえ板（１）および第二押さえ板（２）のそれぞれの上部（１ａ、２ａ）および下部（１ｂ、２ｂ）の略中央に、互いに係合可能とした係合片（４）を設けたものとしたことを特徴とする請求項１記載のランドセル用仕切り具。
【請求項３】
前記第一押さえ板（１）および第二押さえ板（２）のそれぞれの上部（１ａ、２ａ）に、ランドセル（Ｒ）の主収納部（Ｓ0 ）から引き出すための引き出し紐（５）を取り付けたものとしたことを特徴とする請求項１または２記載のランドセル用仕切り具。
【請求項４】
前記係合片（４）を、第一押さえ板（１）および第二押さえ板（２）のそれぞれの上部（１ａ、２ａ）および下部（１ｂ、２ｂ）の略中央から対向するようにして設けた係合爪（４ａ、４ｂ）とし、ランドセル（Ｒ）の主収納部（Ｓ0 ）に収納したとき、この主収納部（Ｓ0 ）の背壁（Ｈ1 ）側になる第一押さえ板（１）の係合爪（４ａ）を上方に折り曲げたものとし、前記主収納部（Ｓ0 ）の前壁（Ｈ2 ）側になる第二押さえ板（２）の係合爪（４ｂ）を下方に折り曲げたものとしたことを特徴とする請求項２または３記載のランドセル用仕切り具。
【請求項５】
ランドセル（Ｒ）の主収納部（Ｓ0 ）に収納したときに、第一押さえ板（１）の下端部がランドセル（Ｒ）の主収納部（Ｓ0 ）の底部（Ｓb ）から少し浮くようにし、第二押さえ板（２）の下端部がランドセル（Ｒ）の主収納部（Ｓ0 ）の底部（Ｓb ）に丁度、接触するようにしたことを特徴とする請求項４記載のランドセル用仕切り具。
【発明の詳細な説明】
【技術分野】
【０００１】
この発明は、ランドセルの主収納部内に入れて使用される仕切り具に関するものである。
【背景技術】
【０００２】
従来のランドセルでは、主収納部内に教科書やノート等の収納物を収納して、使用者が背中に背負って、歩いたり走ったりすると、その収納物は固定されていないため、主収納部内で動いてがたついたり、その収納物が主収納部を構成する壁等に当たって傷んだりすることがあった。特に、前記収納物の量が少ない場合には、主収納部内での動きが大きくてがたつきが激しく、その収納物が傷んだりすることが多かった。
【０００３】
そのため、従来のランドセルには、例えば図９、１０に示したように、主収納部１１内に、主収納部１１の一面を構成する壁１２ａに対向するように配され、かつ前記壁１２ａとの間隔を調節可能とした押さえ板１３を取り付け、この押さえ板１３と前記壁１２ａとの間に収納物１４を挟んで保持できるようにしたものが存在する。そして、前記押さえ板１３は、壁１２ａの両側に接する壁１２ｂおよび壁１２ｃと押さえ板１３の側部に、磁力により引き合うようにした押さえ板取り付け手段１５を設けている。この押さえ板取り付け手段１５は、鉄板１５ａと磁気を帯びた金具１５ｂとからなるものとしており、金具１５ｂを鉄板１５ａのある位置に合わせることにより、押さえ板１３を壁１２ａとの間に適宜の間隔をおいて固定することができるようにしている（特許文献１）。
【０００４】
このようにした従来のランドセルは、押さえ板１３とその対向する主収納部１１の壁１２ａとの間に収納物１４を挟んで保持することができるので、ランドセルが揺れても収納物１４ががたついたり、傷んだりしないものになるとしている。
【０００５】
また、従来のランドセルには、例えば図１１、１２に示したように、主収納部２１内の底部付近に一端を固定し、かつ適宜位置に係合具２２を有する押さえベルト２３を設けると共に、主収納部２１の開口部付近に前記係合具２２と係合する被係合具２４ａを設け、前記押さえベルト２３と主収納部２１の一面を構成する壁２５ａとの間に収納物２６を保持できるようにしたものが存在する。そして、前記係合具２２は、押さえベルト２３の長尺方向に沿ってスライド可能且つ適宜位置に固定可能にしたものとしている（特許文献２）。
【０００６】
このようにした従来のランドセルは、押さえベルト２３と主収納部２１の壁２５ａとの間に収納物２６を挟んで保持することができるので、ランドセルが揺れても収納物２６ががたついたり、傷んだりしないものになるとしている。
【特許文献１】特開平１１−１０３９１９号公報（第２頁、図２、４）
【特許文献２】特開平１１−１０３９２０号公報（第２頁、図１、２）
【発明の開示】
【発明が解決しようとする課題】
【０００７】
しかしながら、図９、１０に示した上記従来のランドセルでは、押さえ板取り付け手段１５の金具１５ｂを鉄板１５ａのある位置に合わせることにより、押さえ板１３を壁１２ａとの間に適宜の間隔をおいて固定することができるようにしているため、その押さえ板１３と壁１２ａとの間の調節を行うのが、小学生等の使用者には難しく、しかも面倒であるという問題点を有していた。また、そのため、上記従来のランドセルでは、押さえ板１３と壁１２ａとの間の調節が大雑把で、押さえ板１３と壁１２ａとの間が収納物の量と丁度合致していないと、ランドセルが揺れるとその収納物ががたついたり、傷んだりすることがあるという問題点を有していた。しかも、上記従来のランドセルでは、押さえ板取り付け手段１５の金具１５ｂと鉄板１５ａとは磁力により位置合わせされているので、強い力が作用するとこの位置合わせがずれて、押さえ板１３と壁１２ａとの間が収納物の量と丁度合致しなくなると、ランドセルが揺れるとその収納物ががたついたり、傷んだりすることがあるという問題点を有していた。
【０００８】
さらに、図１１、１２に示した上記従来のランドセルでは、係合具２２によって押さえベルト２３の長さを調節することにより、この押さえベルト２３と主収納部２１の一面を構成する壁２５ａとの間に収納物２６を保持するようにしているので、この押さえベルト２３の長さを調節するのが、小学生等の使用者には難しく、しかも面倒であるという問題点を有していた。また、そのため、上記従来のランドセルでは、押さえベルト２３の長さの調節が大雑把で、押さえベルト２３と壁２５ａとの間が、収納物の量と丁度合致していないと、ランドセルが揺れると収納物ががたついたり、傷んだりすることがあるという問題点を有していた。
【０００９】
そこで、この発明は、上記従来の問題点を解消するものであり、ランドセルの主収納部内の大きさの調節が、小学生等の使用者にとっても非常に簡単で素早く行うことができ、しかもランドセルの使用中にその主収納部内の大きさが収納物の量と合致しなくなることもなく、ランドセルが揺れてもその収納物ががたついたり、傷んだりすることのないランドセル用仕切り具を提供することを目的としてなされたものである。
【課題を解決するための手段】
【００１０】
そのため、この発明のランドル用仕切り具は、ランドセルＲの主収納部Ｓ0 に収納され、第一押さえ板１と第二押さえ板２の対向面の間に、仕切り具の厚さを調節可能とした伸縮部材３を保持したものとしている。
【００１１】
そして、この発明のランドル用仕切り具は、前記第一押さえ板１および第二押さえ板２のそれぞれの上部１ａ、２ａおよび下部１ｂ、２ｂの略中央に、互いに係合可能とした係合片４を設けたものとしている。
【００１２】
さらに、この発明のランドル用仕切り具は、前記第一押さえ板１および第二押さえ板２のそれぞれの上部１ａ、２ａに、ランドセルＲの主収納部Ｓ0 から引き出すための引き出し紐５を取り付けたものとしている。
【００１３】
また、この発明のランドル用仕切り具は、前記係合片４を、第一押さえ板１および第二押さえ板２のそれぞれの上部１ａ、２ａおよび下部１ｂ、２ｂの略中央から対向するようにして設けた係合爪４ａ、４ｂとし、ランドセルＲの主収納部Ｓ0 に収納したとき、この主収納部Ｓ0 の背壁Ｈ1 側になる第一押さえ板１の係合爪４ａを上方に折り曲げたものとし、前記主収納部Ｓ0 の前壁Ｈ2 側になる第二押さえ板２の係合爪４ｂを下方に折り曲げたものとしている。
【００１４】
さらに、この発明のランドセル用仕切り具は、ランドセルＲの主収納部Ｓ0 に収納したときに、第一押さえ板１の下端部がランドセルＲの主収納部Ｓ0 の底部Ｓb から少し浮くようにし、第二押さえ板２の下端部がランドセルＲの主収納部Ｓ0 の底部Ｓb に丁度、接触するようにしている。
【発明の効果】
【００１５】
この発明のランドセル用仕切り具は、以上に述べたように構成されているので、ランドセルの主収納部内の大きさの調節が、小学生等の使用者にとっても非常に簡単で素早く行うことができ、しかもランドセルの使用中にその主収納部内の大きさが収納物の量と合致しなくなることもなく、ランドセルが揺れてもその収納物ががたついたり、傷んだりすることのないものとなった。
【発明を実施するための最良の形態】
【００１６】
以下、この発明のランドセル用仕切り具の実施の形態を、図面に基づいて詳細に説明する。
【００１７】
この発明のランドセル用仕切り具は、例えば、図１、２に示したような実施形態としたり、図３に示したような実施形態としたり、図４に示したような実施形態とすることができる。このランドセル用仕切り具は、ランドセルＲの主収納部Ｓ0 に収納されるものとしており、第一押さえ板１と第二押さえ板２の対向面の間に、仕切り具の厚さを調節可能とした伸縮部材３を保持したものとしている。
【００１８】
前記第一押さえ板１および第二押さえ板２は、ランドセルＲの主収納部Ｓ0 に丁度納まる程度の横幅と高さ（通常ランドセルＲの主収納部Ｓ0 の横幅は約２０〜２４ｃｍ程度であり、高さは約２６〜３０ｃｍ程度であるので、これらの寸法より小さくしている）とした略長方形状の薄板としており、それぞれの上部１ａ、２ａおよび下部１ｂ、２ｂの略中央に、互いに係合可能とした係合片４を設けたものとしている。さらに、前記上部１ａ、２ａには、必要に応じて、ランドセル用仕切り具をランドセルＲの主収納部Ｓ0 から引き出すための引き出し紐５を取り付けたものとしている。
【００１９】
前記係合片４は、第一押さえ板１および第二押さえ板２のそれぞれの上部１ａ、２ａおよび下部１ｂ、２ｂの略中央から対向するようにして設けた係合爪４ａ、４ｂとしており、ランドセルＲの主収納部Ｓ0 に収納したとき、この主収納部Ｓ0 の背壁Ｈ1 側になる第一押さえ板１の係合爪４ａを上方に折り曲げた上向き係合爪とし、前記主収納部Ｓ0 の前壁Ｈ2 側になる第二押さえ板２の係合爪４ｂを下方に折り曲げた下向き係合爪とし、これら係合爪４ａ、４ｂどうしが係合するものとしている。また、前記係合爪４ｂには、この係合爪４ｂを引き上げて、係合爪４ａとの係合を外せるようにした操作部６を設けたものとしている。さらに、この発明のランドセル用仕切り具は、ランドセルＲの主収納部Ｓ0 に収納したときに、第一押さえ板１の下端部がランドセルＲの主収納部Ｓ0 の底部Ｓb から少し浮くようにし、第二押さえ板２の下端の一部がランドセルＲの主収納部Ｓ0 の底部Ｓb に丁度、接触するようにしている。
【００２０】
前記伸縮部材３は、図１〜３に示したような、ポリウレタン等からなるスポンジ材としたり、図４に示したような、鋼線材や合成樹脂線材等からなるコイルスプリングなどの弾性体とすることができる。そして、図１、２に示したように、前記伸縮部材３をスポンジ材とした場合には、第一押さえ板１および第二押さえ板２が対向する上部位置、下部位置に略平行として二段に配置され、接着剤等によって接着することにより、その第一押さえ板１および第二押さえ板２に保持したものとしている。また、図３に示したように、前記伸縮部材３をスポンジ材とした場合には、第一押さえ板１および第二押さえ板２が対向する両側部位置に略平行として二列に配置され、接着剤等によって接着することにより、その第一押さえ板１および第二押さえ板２に保持したものとしている。さらに、図４に示したように、前記伸縮部材３をコイルスプリングとした場合には、第一押さえ板１および第二押さえ板２が対向する四隅の四個所に配置され、適宜固着体（図示せず）によって固着することにより、その第一押さえ板１および第二押さえ板２に保持したものとしている。さらに、前記伸縮部材３は、縮小時の仕切り具の厚さが約２〜３ｃｍとなるようにし、伸長時の仕切り具の厚さがランドセルＲの主収納部Ｓ0 の襠幅の半分程度になるようにしている（通常ランドセルＲの主収納部Ｓ0 の襠幅は約８〜１２ｃｍ程度であるので、約４〜６ｃｍ程度にしている）。なお、前記コイルスプリングとした伸縮部材３は、図示したように、その周囲を伸縮性とした透明または不透明のカバー７で被覆するなどして、小学生等の使用者がコイルスプリングに手指を挟まないようにしておくのが好ましい。
【００２１】
以上のように構成したこの発明のランドセル用仕切り具は、使用しないときには図５に示したように、仕切り具を縮小した状態にして、ランドセルＲの第一補助収納部Ｓ1 に収納したものとしておく。なお、この発明のランドセル用仕切り具は、使用しないときには図示していないが、仕切り具を縮小した状態にして、ランドセルＲの第二補助収納部Ｓ2 に収納したものとしてもよく、またランドセルＲの補助収納部Ｓ1 、Ｓ2 には収納しないで、ランドセルＲとは別に保管しておいてもよい。さらに、この発明のランドセル用仕切り具は、使用しないときには図６に示したように、ランドセルＲの主収納部Ｓ0 に収納し、仕切り具を縮小した状態にして、前壁Ｈ2 に固定したものとしてもよい。
【００２２】
次に、この発明のランドセル用仕切り具は、使用するときには、ランドセルＲの主収納部Ｓ0 の前壁Ｈ2 側に収納し、ランドセルＲの主収納部Ｓ0 の空いた部分に、図７に示したように、教科書やノート等の収納物Ｗを収納する。なお、図６に示したように、仕切り具を前壁Ｈ2 に固定したものでは、その状態で、ランドセルＲの主収納部Ｓ0 の空いた部分に、図７に示したように、教科書やノート等の収納物Ｗを収納する。そこで、第一押さえ板１の上部１ａを手指で押さえると、この第一押さえ板１が少し下げられ、この第一押さえ板１の係合爪４ａと第二押さえ板２の係合爪４ｂとの係合が外れ、伸縮部材３の伸縮作用で第一押さえ板１と第二押さえ板２との間の距離が広げられ、仕切り具が伸長して、図８に示したように、収納物Ｗが第一押さえ板１とランドセルＲの主収納部Ｓ0 の背壁Ｈ1 との間に、伸縮部材３から弾力を与えられた状態で挟まれるので、その収納物Ｗは、ランドセルが揺れてもがたついたりすることなく、またがたつかないので主収納部Ｓ0 の背壁Ｈ1 に突き当たったりせず、傷んだりすることもないものとなる。なお、前記第一押さえ板１の係合爪４ａと第二押さえ板２の係合爪４ｂとの係合を外すには、係合爪４ｂに設けた操作部６を操作してもよいのはいうまでもない。
【００２３】
また、この発明のランドセル用仕切り具の第一押さえ板１と第二押さえ板２との間には、空間部Ｓが形成されることになるが、この空間部Ｓには、必要に応じて、教科書やノート等に比べ小さい収納物Ｗを収納しておくこともできる。
【００２４】
さらに、前記ランドセルＲの主収納部Ｓ0 から教科書やノート等の収納物Ｗを取り出す場合には、第一押さえ板１と第二押さえ板２の上部１ａ、２ａに取り付けられた引き出し紐５を引っ張って、仕切り具をランドセルＲの主収納部Ｓ0 から引き出してから行えば、この仕切り具により収納物Ｗが押さえられる抵抗がなくなり簡単に行うことができる。
【図面の簡単な説明】
【００２５】
【図１】この発明のランドセル用仕切り具の一実施形態を示しており、その仕切り具を伸長させた状態の斜視図である。
【図２】この発明のランドセル用仕切り具の一実施形態を示しており、その仕切り具を縮小させた状態の斜視図である。
【図３】この発明のランドセル用仕切り具の他の実施形態を示しており、その仕切り具を伸長させた状態の斜視図である。
【図４】この発明のランドセル用仕切り具のさらに他の実施形態を示しており、その仕切り具を伸長させた状態の斜視図である。
【図５】この発明のランドセル用仕切り具をランドセルの第一補助収納部に収納した状態を示す説明図である。
【図６】この発明のランドセル用仕切り具をランドセルの主収納部に収納した状態を示す説明図である。
【図７】この発明のランドセル用仕切り具を使用状態を示す説明図である。
【図８】この発明のランドセル用仕切り具を使用状態を示す説明図である。
【図９】従来のランドセル用の押さえ板の一例を示す斜視図である。
【図１０】図９に示す従来のランドセル用の押さえ板で収納物を押さえ付けた状態を示す説明図である。
【図１１】従来のランドセル用の押さえベルトの一例を示す斜視図である。
【図１２】図１１に示す従来のランドセル用の押さえベルトで収納物を押さえ付けた状態を示す説明図である。
【符号の説明】
【００２６】
１  第一押さえ板
１ａ  上部
１ｂ  下部
２  第二押さえ板
２ａ  上部
２ｂ  下部
３  伸縮部材
４  係合片
４ａ  係合爪
４ｂ  係合爪
５  引き出し紐
Ｒ  ランドセル
Ｓ0 主収納部
Ｓb 底部
Ｈ1   背壁
Ｈ2   前壁
【図１】
2006280419.tif 000003
【図２】
2006280419.tif 000004
【図３】
2006280419.tif 000005
【図４】
2006280419.tif 000006
【図５】
2006280419.tif 000007
【図６】
2006280419.tif 000008
【図７】
2006280419.tif 000009
【図８】
2006280419.tif 000010
【図９】
2006280419.tif 000011
【図１０】
2006280419.tif 000012
【図１１】
2006280419.tif 000013
【図１２】
2006280419.tif 000014